(57)【要約】【課題】  装置のコスト低減や小型化を阻害することなく、変圧器の出力電流を正弦波にすることができる発電システムを提供する。【解決手段】  本発明の発電システム１００は、インバータ２と、スイッチ１０５と、前記インバータ２の補正前出力電流指令値を決定する出力指令部９と、前記インバータ２と前記変圧器の間に設けられた電流検出部３と、前記スイッチ１０５を開いて前記インバータ２の無負荷運転時、前記電流検出部３が検出した電流値に基づいて前記変圧器４の励磁電流値を記憶する電流波形記憶部１１０と、前記スイッチ１０５を閉じて前記インバータ２を前記電力系統６に連系した運転時、前記出力指令部９からの補正前インバータ出力電流指令値に前記電流波形記憶部１１０に記憶した変圧器４の励磁電流値を加えた補正後インバータ出力電流指令値に基づいて、前記インバータ２の出力電流を制御する電流制御部８とを備える。【選択図】    図２
2009189188.tif 000002
【特許請求の範囲】
【請求項１】
入力電力を交流電力に変換して出力するインバータと、
前記インバータの出力電圧を変圧して電力系統に出力する変圧器と、
前記変圧器と前記電力系統間を開閉するスイッチと、
前記インバータの補正前出力電流指令値を決定する出力指令部と、
前記インバータと前記変圧器の間に設けられた電流検出部と、
前記スイッチを開いて前記インバータの運転時、前記電流検出部が検出した電流値に基づいて前記変圧器の励磁電流値を記憶する電流記憶部と、
前記スイッチを閉じて前記インバータを前記電力系統に連系した運転時、前記出力指令部からの補正前インバータ出力電流指令値に前記電流記憶部に記憶した変圧器の励磁電流値を加えた補正後インバータ出力電流指令値に基づいて、前記インバータの出力電流を制御する制御部と、を備えることを特徴とする発電システム。
【請求項２】
前記電流検出部が検出した電流値の出力先を、前記スイッチを開いて前記インバータの運転時には前記電流記憶部に、前記スイッチを閉じて前記インバータを前記電力系統と連系した運転時には前記制御部に選択的に切り替える切替部を備えることを特徴とする請求項１に記載の発電システム。
【請求項３】
前記スイッチは、前記インバータの起動時に、開いて前記インバータを無負荷運転状態とし、
前記切替部は、前記インバータの無負荷運転時に毎回、前記電流検出部が検出した電流値を前記電流記憶部へ出力することを特徴とする請求項２に記載の発電システム。
【請求項４】
前記電流記憶部は、前記変圧器の励磁電流値を前記インバータの制御演算周期毎に少なくとも１周期分を記憶することを特徴とする請求項１から請求項３のいずれか一項に記載の発電システム。
【請求項５】
入力電力を交流電力に変換して出力するインバータと、前記インバータの出力電圧を変圧して電力系統に出力する変圧器とを有する発電システムの制御方法において、
前記変圧器と前記電力系統間を開閉するスイッチを開いて前記インバータの運転時、前記インバータと前記変圧器の間に設けられた電流検出部が検出した電流値に基づいて前記変圧器の励磁電流値を電流記憶部に記憶する記憶ステップと、
前記インバータを前記電力系統と連系した運転時、前記インバータの補正前出力電流指令値を決定する出力指令部からの補正前インバータ出力電流指令値に前記電流記憶部に記憶した変圧器の励磁電流値を加えた補正後インバータ出力電流指令値に基づいて、前記インバータの出力電流を制御する制御ステップと、を有することを特徴とする発電システムの制御方法。
【請求項６】
前記インバータの起動時に、前記スイッチを開いて前記インバータを無負荷運転状態とするステップと、
前記インバータの無負荷運転状態時に毎回、前記電流検出部が検出した電流値を前記電流記憶部へ出力するステップと、を有することを特徴とする請求項５に記載の発電システムの制御方法。
【発明の詳細な説明】
【技術分野】
【０００１】
本発明は、燃料電池や太陽電池などの直流電源の出力をインバータで交流に変換し電力系統に出力する発電システム及び発電システムの制御方法に関する。
【背景技術】
【０００２】
燃料電池や太陽電池などの直流電源とする発電システムにおいては、安定した電力供給を計るためにインバータを用いて交流電力の電力系統との連系運転を行っている。
【０００３】
図５は従来の発電システムの構成を示す図である（例えば特許文献１参照）。図５に示すように、従来の発電システム１０は、例えば、燃料電池や太陽電池等からなる直流電源１と、直流電源１からの直流電力を交流電力に変換するインバータ２と、インバータ２の出力電圧を電力系統６の所要の電圧に変圧する変圧器４と、インバータ２と変圧器４の間に設けられた電流検出器３と、変圧器４の下流側で交流の電力系統６との系統連係を遮断するスイッチ５と、インバータ２の出力電流を指令する出力指令部９と、出力指令部９からのインバータ電力電流指令と電流検出器３からの入力電流信号を受け取りインバータ２へパルス信号であるＰＷＭ（Pulse Width Modulation）制御指令を出力する電流制御部８とで構成されている。電流検出器３は、インバータ２が出力した変圧器４の入力電流を検知して、入力電流信号を電流制御部８へ出力する。出力指令部９は、電力系統６の出力と同期するようにインバータ出力電流指令を電流制御部８へ出力する。電流制御部８は、電流検出器３からの入力電流信号と、出力指令部９から送られてきたインバータ出力電流指令と比較して、その誤差を考慮してインバータ２にＰＷＭ制御指令を出力する。インバータ２は、電流制御部８からのＰＷＭ制御指令に基づいて、直流電源１からの直流電力を交流電力に変換するようにしている。
【０００４】
また、他の従来技術として図６に示すような発電システムが提案されている（例えば、特許文献１参照）。図６は、他の発電システムの構成を示す図である。図６に示すように、発電システム２０では、図５に示した発電システムの構成に加え、変圧器４とスイッチ５間に設けられ変圧器４の出力電流を検知する電流検出器２１と、この電流検出器２１からの電流波形から基本波を除去する基本波阻止フィルタ２２とを設けている。電流検出器２１は、変圧器４の出力電流を検知して、出力電流信号を基本波阻止フィルタ２２へ出力する。基本波阻止フィルタ２２は、出力電流信号からの電流波形から基本波を除去して高調波成分を取り出す。取り出された高調波成分の波形は、高調波抽出信号として増幅されて電流制御部８へ送られる。
【０００５】
出力指令部９は、変圧器４にて所望の出力電流が生成されるように補正前インバータ出力電流指令を電流制御部８へ送る。電流制御部８は、補正前インバータ出力電流指令から高調波抽出信号を差し引いて、変圧器４から高調波成分が発生しないような補正後インバータ出力電流指令を受け取る。電流検出器３は、変圧器４の入力電流を検知して入力電流信号を電流制御部８へ送る。電流制御部８は、電流検出器３からの入力電流信号を受信して、出力指令部９から送信された補正後インバータ出力電流指令と比較して、その誤差を考慮してインバータ２にＰＷＭ制御指令を送る。インバータ２は、電流制御部８から受信したＰＷＭ制御指令に基づいて、直流電源１からの直流電力を交流電力に変換する。これにより、高調波成分が発生しないようにインバータのＰＷＭ制御を行うことができ、変圧器４の出力電流から正弦波を得ることができる。
【特許文献１】特開平７−１５８７８号公報
【発明の開示】
【発明が解決しようとする課題】
【０００６】
しかしながら、図５で示した発電システム１０では、変圧器４の動作には励磁電流が必要であり、この励磁電流は高調波成分を含んでいる。そのため、インバータ２を変圧器４の入力電流が正弦波となるように制御した場合、励磁電流は変圧器４の出力側から供給されるため、変圧器４の出力電流に励磁電流分の高調波が重畳し、結果として変圧器４の出力電流が歪んでしまうという問題がある。また、予め変圧器４の励磁電流を予想してインバータ２の補正前インバータ出力電流指令に加える方法もあるが、変圧器４の変更があった場合には追従できない。また、励磁電流は変圧器個別の特性によっても多少異なるため、例えば発電システムを大量に生産する場合には個別に励磁電流を把握する必要があり作業が煩雑になる可能性がある。
【０００７】
また、図６に示した発電システム２０では、変圧器４の入力側と出力側の両方に電流検出器及び演算回路が必要になり、装置のコスト低減や小型化を阻害する要因となる。
【０００８】
そこで、本発明は、上記問題点に鑑みなされたものであり、装置のコスト低減や小型化を阻害することなく、変圧器の出力電流を正弦波にすることが可能な発電システム及び発電システムの制御方法を提供することを目的とする。
【課題を解決するための手段】
【０００９】
上記課題を解決するために、本発明の発電システムは、入力電力を交流電力に変換して出力するインバータと、前記インバータの出力電圧を変圧して電力系統に出力する変圧器と、前記変圧器と前記電力系統間を開閉するスイッチと、前記インバータの補正前出力電流指令値を決定する出力指令部と、前記インバータと前記変圧器の間に設けられた電流検出部と、前記スイッチを開いて前記インバータの運転時、前記電流検出部が検出した電流値に基づいて前記変圧器の励磁電流値を記憶する電流記憶部と、前記スイッチを閉じて前記インバータを前記電力系統に連系した運転時、前記出力指令部からの補正前インバータ出力電流指令値に前記電流記憶部に記憶した変圧器の励磁電流値を加えた補正後インバータ出力電流指令値に基づいて、前記インバータの出力電流を制御する制御部とを備える。
【００１０】
本発明によれば、スイッチを開いてインバータを運転した場合、インバータに接続されているのは無負荷状態の変圧器のみとなる。そして、変圧器の励磁電流は、変圧器の無負荷電流に等しく従ってこの時のインバータの出力電流は変圧器の励磁電流と同じである。そのため、変圧器の励磁電流値が電流記憶部に記憶される。次に、スイッチを閉じてインバータを電力系統に連系した運転状態では、インバータの出力電流値は出力指令部からの出力指令値に基づいた例えば正弦波の電流波形と電流記憶部から出力される変圧器の励磁電流値分を加えた波形となる。そして、変圧器では励磁電流分が消費され結果として変圧器の出力側では正弦波の電流が電力系統側に出力される。また、変圧器の入力側だけに電流検出器等を設ければよいため、装置のコスト低減と小型化を図ることができる。
【００１１】
また、本発明の発電システムは、前記電流検出部が検出した電流値の出力先を、前記スイッチを開いて前記インバータの運転時には前記電流記憶部に、前記スイッチを閉じて前記インバータを前記電力系統と連系した運転時には前記制御部に選択的に切り替える切替部をさらに備える。本発明によれば、一つの電流検出部によってフィードバック制御と励磁電流波形を記憶することができるため、装置のコスト低減や小型化を図ることができる。
【００１２】
また上記構成において、前記スイッチは、前記インバータの起動時に、開いて前記インバータを無負荷運転状態とし、前記切替部は、前記インバータの無負荷運転時に毎回、前記電流検出部が検出した電流値を前記電流記憶部へ出力することを特徴とする。
【００１３】
本発明によれば、インバータが停止から定格運転に至る際の起動過程において必然となる無負荷運転状態を利用して、励磁電流の測定を行いその後のインバータの制御に利用している。従って、変圧器の故障や仕様の変更等により変圧器が交換され、励磁電流の様相が変わった場合においても、インバータの起動の際に毎回励磁電流の把握が行われるので、変圧器の出力電流を正弦波に保つことが可能である。
【００１４】
また、上記構成において、前記電流波憶部は、前記変圧器の励磁電流値を前記インバータの制御演算周期毎に少なくとも１周期分を記憶することを特徴とする。本発明によれば、少ない記憶容量で変圧器の出力電流を正弦波にすることができる。
【００１５】
また、本発明は、入力電力を交流電力に変換して出力するインバータと、前記インバータの出力電圧を変圧して電力系統に出力する変圧器とを有する発電システムの制御方法において、前記変圧器と前記電力系統間を開閉するスイッチを開いて前記インバータの運転時、前記インバータと前記変圧器の間に設けられた電流検出部が検出した電流値に基づいて前記変圧器の励磁電流値を電流記憶部に記憶する記憶ステップと、前記インバータを前記電力系統と連系した運転時、前記インバータの補正前出力電流指令値を決定する出力指令部からの補正前インバータ出力電流指令値に前記電流記憶部に記憶した変圧器の励磁電流値を加えた補正後インバータ出力電流指令値に基づいて、前記インバータの出力電流を制御する制御ステップとを有する。本発明によれば、電流検出器、演算回路を増やすことなく変圧器の出力電流を正弦波にすることができる。
【００１６】
また、本発明の発電システムの制御方法は、前記インバータの起動時に、前記スイッチを開いて前記インバータを無負荷運転状態とするステップと、前記インバータの無負荷運転時に毎回、前記電流検出部が検出した電流値を前記電流記憶部へ出力するステップとをさらに有する。本発明によれば、変圧器の故障や仕様の変更等により変圧器が交換され、励磁電流の様相が変わった場合においても、インバータの起動の際に毎回励磁電流の把握が行われるので、変圧器の出力電流を正弦波に保つことが可能である。
【発明の効果】
【００１７】
本発明によれば、装置のコスト低減や小型化を阻害することなく、変圧器の出力電流を正弦波にすることが可能な発電システム及び発電システムの制御方法を提供することができる。
【発明を実施するための最良の形態】
【００１８】
以下、本発明の実施形態について、添付図面を参照しつつ説明する。
【００１９】
図１は、本発明の実施形態に係る発電システムの構成を示した図である。図１に示すように、本発明の実施形態に係る発電システム１００は、直流電源１、インバータ２、電流検出器３、変圧器４、スイッチ１０５、出力指令部９、電流制御部８、切替スイッチ１０７、電流波形記憶部１１０を備えている。尚、電流検出器３が電流検出部、電流制御部８が制御部、電流波形記憶部１１０が電流記憶部にそれぞれ対応する。
【００２０】
直流電源１は、例えば燃料電池や太陽電池等から構成されている。インバータ２は、直流電源１からの直流電力を交流電力に変換する。電流検出器３は、インバータ２と変圧器４の間に設けられ、インバータ２の出力電流即ち変圧器４の入力電流を検出する。変圧器４は、インバータ２の出力電圧を電力系統６の所要の電圧に変圧する。スイッチ１０５は、変圧器４の下流側に設けられ電力系統６との系統連係を遮断する。
【００２１】
切替スイッチ１０７は、電流検出器３が検出した電流値の出力先を選択的に切り替えるものである。具体的には、切替スイッチ１０７は、無負荷運転時に接続される端子７ａと、連系運転時に接続される端子７ｂとを有し、電流検出器３が検出した電流値の出力先を、スイッチ１０５が開いてインバータ２の無負荷運転時には電流波形記憶部１１０側の端子７ａへ切り替え、スイッチ１０５が閉じられてインバータ２を電力系統６と連系した運転時には電流制御部８側の端子７ｂへ切り替える。尚、この切替スイッチ１０７は、機械的なスイッチでも系統連係インバータ制御部内のソフトウェア上のスイッチであっても良い。
【００２２】
電流波形記録部１１０は、インバータ２の無負荷運転時、電流検出器３が検出した電流値に基づいて変圧器４の励磁電流波形を記憶する領域を有し、例えば、ＲＡＭ（Random Access Memory）等のような一時記憶媒体で構成される。
【００２３】
出力指令部９は、インバータ２の補正前出力電流指令値を決定する。具体的には、出力指令部９は、系統電圧に同期した正弦波を基本波形として、運転員等により設定された出力電力（例えば１００ｋＷ等）に応じた振幅や位相の電流波形を演算して、補正前インバータ出力電流指令として電流制御部８へ送る。
【００２４】
電流制御部８は、出力指令部９からの補正前インバータ出力電流指令を受けてインバータ２へパルス信号を送ってＰＷＭ制御を行う。具体的には、電流制御部８は、スイッチ１０５を閉じてインバータ２を電力系統６に連系した運転時には、出力指令部９からの補正前インバータ出力電流指令値に電流波形記憶部１１０に記憶した変圧器４の励磁電流波形値を加えた補正後インバータ出力電流指令値に基づいて、インバータ２の出力電流を制御する。
【００２５】
図２は、本発明の実施形態に係る発電システムの各運転時における動作概要の説明図である。同図（ａ）は、インバータ２が無負荷運転時における発電システムの動作を説明するための図、同図（ｂ）は、インバータ２が電力系統６との連系運転時における発電システムの動作を説明するための図である。
【００２６】
図２（ａ）で示すように、スイッチ１０５を開いてインバータ２の無負荷運転時には、切替スイッチ１０７は、接点を電流波形記憶部１１０と繋がる端子７ａに接続する。これにより、電流検出器３で検出された変圧器４の入力電流の波形は、電流波形記憶部１１０へ送られる。
【００２７】
このとき、インバータ２を定電圧運転させると、インバータ２に接続されているのは無負荷状態の変圧器４だけであるため、電流検出器３で検出できる変圧器４の無負荷電流は、変圧器４の励磁電流と略等しくなる。このため、電流検出器３によって変圧器４の励磁電流を測定することができる。電流検出器３で検出した変圧器４の励磁電流は、入力電流信号として電流波形記憶部１１０へ送られる。電流波形記憶部１１０は、電流検出器３からの入力電流信号を変圧器の励磁電流値として記憶する。
【００２８】
一方、図２（ｂ）で示すように、スイッチ１０５を閉じてインバータ２を電力系統６と連系した運転時には、切替スイッチ１０７は、接点を電流制御部８と繋がる端子７ｂに切り替える。これにより、電流検出器３が検出した電流値は、電流制御部８へ送られる。電流波形記憶部１１０からは、無負荷状態時に記憶した変圧器４の励磁電流値が送られる。出力指令部９は、運転員等により設定された出力電力に応じた振幅や位相の電流波形を演算して、補正前インバータ出力電流指令として電流制御部８へ送る。
【００２９】
電流制御部８には、出力指令部９からの補正前インバータ出力電流指令値に電流波形記憶部１１０に記憶した変圧器の励磁電流値を加えた補正後インバータ出力電流指令値が入力される。電流制御部８は、電流検出部３からの入力電流値と補正後インバータ出力電流指令値と比較して、その誤差を考慮してＰＷＭ制御指令をインバータ２に送る。インバータ２は、電流制御部８から送られてきたＰＷＭ制御指令に基づいて、直流電源１からの直流電力を交流電力に変換する。これによって、変圧器４の出力電流に高調波成分が発生しないようにインバータ２のＰＷＭ制御を行うことができる。
【００３０】
図３は、本発明の実施形態に係る発電システムで用いられる電流波形を示したグラフである。
【００３１】
図３（ａ）は、図２（ｂ）において出力指令部９から電流制御部８へ送られる補正前インバータ出力電流指令の波形を示したグラフである。縦軸が電流、横軸が時間を示している。出力指令部９は、系統電圧に同期した正弦波を基本波形として、運転員等により設定された出力電力に応じた振幅や位相の電流波形を演算して、補正前インバータ出力電流指令として電流制御部８へ送る。
【００３２】
図３（ｂ）は、電流波形記憶部１１０から電流制御部８へ送られる励磁電流波形を示したグラフである。電流波形記憶部１１０は、図３（ｂ）に示すように、変圧器４の励磁電流波形をインバータ２の制御演算周期（サンプリング周期）毎に少なくとも１周期分を記憶するのが好ましい。
【００３３】
電流制御部８に入力される補正後インバータ出力電流指令は、図３（ａ）に示した補正前インバータ出力電流指令と、図３（ｂ）に示した変圧器４の励磁電流波形を足した出力電流波形となる信号となる。電流制御部８は、補正後インバータ出力電流指令と電流検出器３で検出したインバータ出力電流を比較し、インバータ出力電流が補正後インバータ出力電流指令と一致するようにインバータ２を制御する。この結果、インバータ出力電流、即ち変圧器４の入力電流は、正弦波電流に加えて励磁電流が供給され、変圧器４内で励磁電流分が消費され結果として変圧器出力電流は励磁電流分を含まない正弦波電流となる。
【００３４】
切替スイッチ１０７は、スイッチ５を開いてインバータ２の無負荷運転時に毎回、電流検出器３が検出した出力電流波形を電流波形記憶部１１０へ出力する。これによって、変圧器固有の励磁電流の波形を電流波形記憶部１１０へ記憶させることができる。このため、変圧器４を交換しても、一度直流電源の無負荷運転時にインバータを定電圧運転することにより、電流波形記憶部１１０に新しい励磁電流の波形を記憶させることができる。これにより、変圧器個別に出力指令部９からの補正前インバータ出力電流指令を設定する必要も無く、また、系統連系インバータが大量生産された場合にも個々に出力指令部９からの補正前インバータ出力電流指令を設定する必要も無いため、大幅に工数を低減することができる。
【００３５】
次に、発電システム１００の動作について説明する。図４は、本発明の実施形態に係る発電システムの動作フォローチャートである。
【００３６】
ステップＳ１０において、発電システム１００は、インバータ２の起動を実行する。この処理において、発電システム１００は、インバータ２が無負荷運転状態であることを確認してインバータ２を起動する。この処理が完了したら、ステップＳ２０へ移行する。
【００３７】
ステップＳ２０において、発電システム１００は、インバータ２の定電圧運転を実行する。この処理において、インバータ２が無負荷運転状態であるため、インバータ２に接続している変圧器４が無負荷状態となっている。インバータ２を定格電圧となるように運転をすると、変圧器４の入力電流が変圧器４の励磁電流と略等しく、変圧器４の入力電流を検知する電流検出器３によって変圧器４の励磁電流を測定して、切替スイッチ１０７によって切り替えられた電流波形記憶部１１０へ測定した変圧器４の励磁電流値を送る。電流波形記憶部１１０は、その変圧器４の励磁電流値を記憶して、ステップＳ３０へ移行する。
【００３８】
ステップＳ３０において、発電システム１００は連系運転指令があるか否かを判定する。この処理において、発電システム１００はインバータ２を電力系統６に接続させるスイッチ１０５をＯＮにする指令があるが否かを判定する。連系運転指令があると判定された場合は、ステップＳ４０へ移行する。連系運転指令があると判定されない場合は、ステップＳ２０へ戻る。
【００３９】
ステップＳ４０において、発電システム１００は同期制御処理を実行する。ステップＳ５０において、発電システム１００は同期制御が完了したか否かを判定する。同期制御が完了したと判定される場合は、ステップＳ６０へ移行する。同期制御が完了したと判定されていない場合は、ステップＳ４０へ戻る。
【００４０】
ステップＳ６０において、発電システム１００は連系用のスイッチ１０５を閉めて接続する処理を実行する。スイッチ１０５を接続すると、直流電源１で生成されてインバータ２で交流電力に変換されて、上述の制御により電力系統６と同期に制御された交流電力を電力系統６側へ供給することが可能となる。この処理が完了したら、ステップＳ７０へ移行する。
【００４１】
ステップＳ７０において、発電システム１００は出力上昇の処理を実行する。この処理において、電流制御部８には、図３（ａ）に示した補正前インバータ出力電流指令に、図３（ｂ）に示した変圧器４の励磁電流波形を足した補正後インバータ出力電流指令が入力される。電流制御部８は、補正後インバータ出力電流指令と電流検出器３で検出したインバータ出力電流を比較し、インバータ出力電流が補正後インバータ出力電流指令と一致するようにインバータ２を制御する。発電システム１００は、直流電源１の出力を上昇させて、より多くの電力を電力系統６側へ供給する。この処理が完了したら、本ルーチンは終了する。
【００４２】
このように、インバータ２が停止から定格出力運転に至る際の起動過程において、必然となる無負荷運転状態を利用して、変圧器４の励磁電流の測定を行って、その測定波形を記憶して、その後のインバータ制御にその励磁電流波形を利用して、変圧器４の出力電流が正弦波とすることができる。このため、新たな検出器や複雑な演算回路を用いずに、簡便で且つ起動過程に影響を与えずに、変圧器４の出力電流が正弦波とすることができる。
【００４３】
以上本実施形態によれば、スイッチ１０５を開いてインバータ２の無負荷運転時、電流検出器３が検出した電流値に基づいて変圧器４の励磁電流値を記憶しておき、インバータ２を電力系統６に連系した運転時には、出力指令部９からの補正前インバータ出力電流指令値に電流波形記憶部１１０に記憶した変圧器４の励磁電流値を加えた補正後インバータ出力電流指令値に基づいて、インバータ２の出力電流を制御することで、変圧器４では励磁電流分が消費され結果として変圧器４の出力側では正弦波の電流が電力系統６側に出力される。また、変圧器４の入力側だけに電流検出器等を設ければよいため、装置のコスト低減と小型化を図ることができる。
【００４４】
また、電流波形記憶部１１０は電流検出器３が検出した電流値のうち、波形として１周期分のみを記憶して、さらにインバータ２を制御する最も小さい時間の単位である単位演算時間毎に電流値を記録して、それを１周期分の波形として記憶している。これにより、電流波形記憶部１１０は常に記憶する必要もなく、単位演算時間（例えば、１ｍｓなど）で１周期分の波形が記録され、それ以外の電流値を消去することで、電流波形記録部１１０の容量を軽くすることができる。
【００４５】
以上、本発明の好ましい実施形態について詳述したが、本発明は上述した実施形態に限定されるものではなく、特許請求の範囲に記載された本発明の要旨の範囲内において、種々の変形、変更が可能である。例えば、本実施形態において、出力指令部９から送られた補正前インバータ出力電流指令に電流波形記憶部１１０から送られる励磁電流波形が加わって補正後インバータ出力電流指令となり電流制御部８へ送られているが、特にこれに限定されない。例えば、電流波形記憶部１１０から送られる励磁電流波形は出力指令部９に送信され、出力指令部９内で補正前インバータ出力電流指令と励磁電流波形が加わって補正後インバータ出力電流指令となり電流制御部８へ送ってもよい。また、電流波形記憶部１１０から送られる励磁電流波形は電流制御部８に送信され、電流制御部８内で補正前インバータ出力電流指令と励磁電流波形が加わって補正後インバータ出力電流指令となり、入力電流信号を考慮したＰＷＭ制御指令をインバータ２へ送ってもよい。
【００４６】
また、本実施形態において、電流波形記憶部１１０は、インバータ２が定電圧運転時の電流検出器３の電流の波形のみを記憶しているが、特にこれに限定しない。たとえば、毎連系運転時の所定の時間に電流検出器３の電流の波形を記憶し、日々の毎連系運転時の電流の波形を監視することで、インバータ２の不良や不調を未然に発見することが可能となる。
【図面の簡単な説明】
【００４７】
【図１】本発明の実施形態に係る発電システムの構成を示した図である。
【図２】（ａ）はインバータが無負荷運転時における発電システムの動作を説明するための図、（ｂ）はインバータが電力系統との連系運転時における発電システムの動作を説明するための図である。
【図３】本発明の実施形態に係る発電システムで用いられる電流波形を示したグラフである。
【図４】本発明の実施形態に係る発電システムの動作フォローチャートである。
【図５】従来の発電システムの構成を示したブロック図である。
【図６】従来の他の発電システムの構成を示したブロック図である。
【符号の説明】
【００４８】
１００  発電システム
１      直流電源
２      インバータ
３      電流検出器
４      変圧器
６      電力系統
８      電流制御部
９      出力指令部
１０５  スイッチ
１０７  切替スイッチ
１１０  電流波形記憶部
【図１】
2009189188.tif 000003
【図２】
2009189188.tif 000004
【図３】
2009189188.tif 000005
【図４】
2009189188.tif 000006
【図５】
2009189188.tif 000007
【図６】
2009189188.tif 000008